(57)【要約】【課題】  従来では物理的或いは法的に困難とされてきた場所でも、電柱に締結して埋設することを可能として、場所的な限界を緩和した根かせを提供する。【解決手段】  根かせ１について、電柱１５の所定の側面と当接可能な受け部３、及び、この受け部３の両側に配されて当該受け部３が形成された側の面２ａからその反対側の面２ｂにかけて穿設された通孔４、４を備えた基部２と、この基部２に対し受け部３の一方の通孔４が設けられた側から前記受け部３と反対方向へ延出された支持部５とで構成されたものとして、この根かせ１の基部３より長手方向一方側における寸法を短縮する。【選択図】  図１
2006125021.tif 000002
【特許請求の範囲】
【請求項１】
柱状立設体の側面と当接可能な受け部、及び、この受け部の両側に配されて当該受け部が形成された側からその反対側の面にかけて穿設された通孔を備えた基部と、この基部に対し前記受け部の一方の通孔が設けられた側から前記受け部と反対方向へ延出された支持部とで構成されたことを特徴とする根かせ。
【請求項２】
前記受け部が形成された側と反対側の面に突起部を突出形成したことを特徴とする請求項１に記載の根かせ。
【請求項３】
前記請求項１又は２に記載の根かせの通孔に挿通可能な一対の挿通部と、前記一対の挿通部間に連接して構成され、柱状立設体の側面と当接可能な当て部と、前記挿通部に外挿固定されてこの挿通部が根かせの通孔から外れるのを防止する固定具とから構成されたことを特徴とする根かせの締結具。
【請求項４】
前記請求項１又は請求項２に記載の根かせと前記請求項３に記載の締結具とを用いた柱状立設体と根かせとの固定方法であって、
略鉛直方向に延びた状態の柱状立設体に対し、その基部側の側面と前記受け部とが当接し、且つ通孔同士が対峙した位置となるように前記一対の根かせを配置する第１の段階と
一方の根かせの通孔に前記締結具の一方の挿通部を挿通させ、他方の根かせの通孔に前記締結具の他方の挿通部を挿通する第２の段階と、
前記締結具をその長手方向に張設して、この締結具の当て部が前記柱状立設体の側面に当接した状態とした後、この状態を保持するために前記挿通部に固定具を外挿し前記根かせに固定する第３の段階とから成ることを特徴とする柱状立設体と根かせとの固定方法。
【発明の詳細な説明】
【技術分野】
【０００１】
この発明は、電柱等の柱状立設体を建柱する際に、この柱状立設体が沈下、傾倒、回転等するのを防止するために、地中において柱状立設体を支持する根かせ及びその締結具の構造並びにこれらの根かせ及び締結具を用いた柱状立設体と根かせとの固定方法に関するものである。
【背景技術】
【０００２】
建柱した電柱が沈下、傾倒、回転等するのを防止するために、電柱の基部側を地面に掘った立孔に入れた状態で、電柱の径方向の両側に延びるように根かせを電柱の側周面の一方側に当てがい、この根かせにＵボルトのアームの両端を、アームと根かせとの枠内に電柱が位置するように挿通し、Ｕボルトを介して根かせと電柱の基部側とを締結して支持した後、埋設することは、既に公知となっている（例えば、特許文献１及び２を参照。）。
【特許文献１】実開平５−１６８４１号公報
【特許文献２】特開２０００−５４４０３号公報
【発明の開示】
【発明が解決しようとする課題】
【０００３】
しかしながら、特許文献１及び２に示される根かせでは、市街地における電柱の建柱にあたり、できるだけ隅に配置して欲しいとの要請があるところ、根かせの長手方向寸法が大きいため、道路端の側溝に隣接する場所、塀等の構造物に隣接する場所といった物理的に根かせを埋設することができない場所、又は設置の許諾を得た土地と他人の私有地等との境界線上で法的に根かせを埋設することができない場所がある等、場所的な制限を受けるという不具合を有する。
【０００４】
このような不具合に対しては、根かせを用いず、電柱と立孔との間にコンクリートを打設して固定することも考えられるが、コンクリートの使用分、電柱の建柱コストが相対的に高くなるという不具合を有すると共に、電柱より下方や近辺等に配されるガス管、水道管等のメンテナンスが困難になり、更には電柱自体の移設工事も簡易に行うことができなくなるという問題が生ずる。
【０００５】
そこで、本発明は、従来では物理的或いは法的に困難とされてきた場所でも、柱状立設体に締結して埋設することを可能とした根かせ、その柱状立設体への固定のための締結具並びに柱状立設体と根かせとの固定方法を提供することを目的とするものである。
【課題を解決するための手段】
【０００６】
本発明に係る根かせは、柱状立設体の側面と当接可能な受け部、及び、この受け部の両側に配されて当該受け部が形成された側からその反対側の面にかけて穿設された通孔を備えた基部と、この基部に対し前記受け部の一方の通孔が設けられた側から前記受け部と反対方向へ延出された支持部とで構成されたことを特徴としている（請求項１）。この根かせは、前記受け部が形成された側と反対側の面に突起部を突出形成したことを特徴とするものでも良い（請求項２）。この柱状立設体の例としては、主としてコンクリート製電柱が挙げられるが、それ以外の道路標識柱等であっても良い。そして、この根かせは、例えばコンクリートで形成されている。また、根かせの支持部を有しない側の端面には補強用に鉄板を取り付けても良い。
【０００７】
本発明に係る根かせの締結具は、前記請求項１又は２に記載の根かせの通孔に挿通可能な一対の挿通部と、前記一対の挿通部間に連接して構成され、柱状立設体の側面と当接可能な当て部と、前記挿通部に外挿固定されてこの挿通部が根かせの通孔から外れるのを防止する固定具とから構成されたことを特徴としている（請求項３）。これらの挿通部と当て部との固定は例えば溶接等により行われる。この固定具としては例えば角座金と六角ナットとの組み合わせが用いられる。また、この当て部は直線状のバンド形とＵ字状のバンド形とがあり、ある程度の可撓性を有する素材で形成されている。
【０００８】
本発明に係る柱状立設体と根かせとの固定方法は、前記請求項１又は請求項２に記載の根かせと前記請求項３に記載の締結具とを用いた柱状立設体と根かせとの固定方法であって、略鉛直方向に延びた状態の柱状立設体に対し、その基部側の側面と前記受け部とが当接し、且つ通孔同士が対峙した位置となるように前記一対の根かせを配置する第１の段階と、一方の根かせの通孔に前記締結具の一方の挿通部を挿通させ、他方の根かせの通孔に前記締結具の他方の挿通部を挿通する第２の段階と、前記締結具をその長手方向に張設して、この締結具の当て部が前記柱状立設体の側面に当接した状態とした後、この状態を保持するために前記挿通部に固定具を外挿し前記根かせに固定する第３の段階とから成ることを特徴としている（請求項４）。
【発明の効果】
【０００９】
請求項１に記載の発明によれば、支持部が基部に対し前記受け部の一方の通孔が設けられた側から前記受け部と反対方向へのみ延出することで、根かせの長手方向寸法が相対的に短くなり、特に、道路端の側溝に隣接する場所、塀等の構造物に隣接する場所や、設置の許諾を得た土地と他人の私有地等との境界線上となる場所にあっては、支持部を有しない側を向けることで埋設することができるので、根かせの埋設場所に対する制約を緩和することができる。よって、根かせを埋設することが困難なために、柱状立設体と立孔との間にコンクリートを打設して固定する必要性も減少し、柱状立設体の全体的な建柱コストが削減される。そして、柱状立設体に近接して既に埋設されている配管のメンテナンス性や柱状立設体の移設に対する不具合を解消することもできる。
【００１０】
特に、請求項２に記載の発明によれば、突起部が地中において柱状立設体の回転方向への抵抗となるので根かせの柱状立設体を中心とした回転をより一層確実に防止することができる。
【００１１】
請求項４に記載の発明によれば、根かせを柱状立設体の両側に配置するため、柱状立設体の一方側の側面に配する場合に比し、柱状立設体の沈下が仮に生じても均等に沈下するので、根かせがある側と根かせがない側とで不等沈下が生ずる不具合を回避することができることから、柱状立設体が根かせのない側に傾くことを防止することが可能である。
【発明を実施するための最良の形態】
【００１２】
以下、この発明の実施形態を図面により説明する。
【００１３】
図１においてこの発明に係る根かせ１の構成が示されていると共に、図２においてこの発明に係る締結具１０の構成が示されている。
【００１４】
このうち、根かせ１は、例えばコンクリートで形成されているもので、この実施形態では、後述の支持部５に比較して側方に突出することで相対的に厚くなっている基部２を有すると共に、この基部２の一方の面２ａ側には、コンクリート製電柱等の例えば円柱状や円錐台状をなす柱状立設体１５の地中に埋設される部位の側面と当接可能な円弧状の溝からなる受け部３が形成されている。
【００１５】
また、この根かせ１は、基部２に対して受け部３の両側にてこの受け部３が形成された側の面２ａからその反対側となる面２ｂまで貫通した通孔４、４が形成されている。この通孔４、４は、この実施形態では、柱状立設体１５の径寸法が異なることにより後述する当て部１２の内側面のアールが変わり締結具１０の挿通部１１と挿通部１１との間隔が変動しても、挿通部１１、１１を通孔４、４に挿通可能なように根かせ１の長手方向に沿った幅が長い長孔状となっている。但し、下記する支持部５を有しない側において、この実施形態でも通孔４の代わりに後述の図５に示される通孔４’を形成することは可能である。
【００１６】
そして、根かせ１は、前記基部２に対し受け部３の一方の通孔４が設けられた側から受け部３と反対方向へ延出された支持部５が形成され、且つ前記基部２に対し前記支持部５が形成された側と他方側にはこの支持部５がなく代わりにこの実施形態では補強用に厚みの薄い鉄板６が端面に配されている。これにより、支持部５を有しない側の通孔４を長孔状としても、通孔４に対し側方外縁部分が強度不足で破損したりするのを防止できる。
【００１７】
これに対し、締結具１０は、一対の挿通部１１、１１と、これら挿通部１１、１１間にあってその長手方向端部側に連接された１の当て部１２とで一体的に構成されている。このうち、挿通部１１は、根かせ１の通孔４の短手方向の内径よりも若干小さな外径を有した略円柱状のものであり、当て部１２は、柱状立設体１５の側面と当接可能な内側面を有する略Ｕ字状の薄板をなすバンド形のもので、ある程度の可撓性を有している。これらの挿通部１１と当て部１２との固着は例えば溶接等により行われる。更に、挿通部１１は、この実施形態では、その側面の略全域にわたってネジ切りされて、挿通部１１の全てが通孔４を抜けて締結具１０が根かせ１から外れるのを防止するための固定具たる、角座金１３と六角ナット１４とが挿通部１１の軸方向に沿って可動可能に外挿されている。これらの角座金１３、六角ナット１４は既製品である。
【００１８】
しかるに、このような構成の根かせ１と締結具１０とを用いるにあたり、図３に示されるように、例えば建柱車等を利用して、予め地面に所定内径及び深度の立孔を掘り電柱等の柱状立設体１５を立孔内に立てた状態とし、これに根かせ１を受け部３の面が柱状立設体１５の孔内の部位に当接するように立孔内に設置し、面２ａ側から通孔４、４内に締結具１０の挿通部１１を挿入していき、当て部１２の内側面を柱状立設体１５の側面に当接させた後、角座金１３と六角ナット１４とについて挿通部１１に外挿しこの挿通部１１上を可動して根かせ１の面２ｂに突当させて、この角座金１３と六角ナット１４とを強く締め付けることで、柱状立設体１５と根かせ１とをこの締結具１０を介して確実に固定されたものとする。最後に、柱状立設体１５及び根かせ１が収納された立孔を埋め戻して原状復元する。これにより、柱状立設体１５の沈下、回転、傾倒等を抑制することが可能である。
【００１９】
そして、この柱状立設体１５と根かせ１との固定状態において、根かせ１は支持部５が当該根かせ１の長手方向一方のみに形成されているので、根かせ１の長手方向の他方側では柱状立設体１５の径よりも突出していない。従って、支持部５を有しない側を側溝側、塀側又は他者の土地との境界線側に向けることにより、従来の根かせではこの支持部５が妨げとなって根かせ１を埋設することができない場所であっても、本発明の根かせ１では埋設することが可能となる。
【００２０】
また、この根かせ１は、図４に示すように、面２ｂに対し基部２の受け部３とは反対側となる部位から突起部２０が形成されたものとしても良い。この突起部２０を有することで、建柱された柱状立設体１５がその中心点を回転軸として何等かの作用により回転しようとしても、突起部２０が土中にて抵抗の役割を果たすので、柱状立設体１５の回転をより確実に抑制することができる。
【００２１】
図５から図７において、これまで説明してきた根かせ１及び締結具１０の変形例が示されている。
【００２２】
このうち、根かせ１は、コンクリート製のもので、図５に示されるように、受け部３が形成された基部２を有すること、この基部２に対し受け部３の通孔４’が設けられた側から受け部３と反対方向へ延出された支持部５を有すること、並びに、基部２に対し前記支持部５が形成された側と他方側にはこの支持部５がなく代わりに鉄板６が補強用に配されていること等については先の実施形態と同様である。
【００２３】
もっとも、基部２に対して受け部３の両側にてこの受け部３が形成された側の面２ａからその反対側となる面２ｂまで貫通した通孔４、４’が穿設されているところ、通孔４は先の実施形態と同様の長孔状をなしているのに対し、通孔４’は下記する締結具１０の挿通部１１が挿通可能なように通孔４の短手方向の径と略同じ径よりなる円状の孔をなしている。これに伴い、根かせ１の通孔４’に対し側方外縁部分の厚みが長孔状の場合よりも相対的に大きくなるので、補強用の鉄板６を不要とすることも可能である。尚、この根かせ１の代わりに図１に示されるような双方とも長孔状の通孔４、４を有する根かせ１を用いることは自由である。
【００２４】
締結具１０について、図６に示されるように、一対の挿通部１１、１１間に１の当て部１２を連接することで一体的に構成されていることは、図２に示される締結具１０と同様である。そして、挿通部１１が根かせ１の通孔４の短手方向の内径よりも若干小さな外径を有した略円柱状のものであること、この挿通部１１がその側面の略全域にわたってネジ切りされて、挿通部１１の全てが通孔４を抜けて締結具１０が根かせ１から外れるのを防止するための固定具として、既製品からなる角座金１３と六角ナット１４とが挿通部１１の軸方向に沿って可動可能に外挿されていることについても、図２に示す締結具１０と同様であるが、当て部１２’の構成は若干異なっている。すなわち、この実施形態における当て部１２’は、柱状立設体１５の側面と当接可能な内側面を有する略直線状の薄板をなすバンド形のもので、ある程度の可撓性を有している。
【００２５】
しかるに、このような構成の根かせ１と締結具１０とを用いるにあたり、図７に示されるように、例えば建柱車等を利用して、予め地面に所定内径及び深度の立孔を掘り電柱等の柱状立設体１５を立孔内に立てた状態とし、２つの根かせ１を柱状立設体１５を中心とした鏡面対称状にて立孔内に配置し、このとき根かせ１の受け部３を柱状立設体１５に当接させることにより根かせ１、１で柱状立設体１５を挟持した状態とする。この場合、一方の根かせ１の通孔４と他方の根かせ１の通孔４並びに一方の根かせ１の通孔４’と他方の根かせ１の通孔４’とは対峙した位置にある。
【００２６】
次に、一方の締結具１０にていて２つの挿通部１１、１１を各々の根かせ１の通孔４、４に面２ａ側から挿通させていくと共に、他方の締結具１０について２つの挿通部１１、１１を各々の根かせ１の通孔４’、４’に面２ａ側から挿通させていく。その結果、各根かせ１、１の当て部１２’、１２’が柱状立設体１５の側面に当接して当該柱状立設体１５を前記受け部３、３と交差する方向から挟持した状態となる。
【００２７】
更に、角座金１３と六角ナット１４とについて挿通部１１上を可動して根かせ１の面２ｂに突当させて、この角座金１３と六角ナット１４とを強く締め付けることで、柱状立設体１５と根かせ１とをこの締結具１０を介して確実に固定されたものとする。最後に、柱状立設体１５及び根かせ１が収納された立孔を埋め戻して原状復元する。これにより、柱状立設体１５の沈下、回転、傾倒等を抑制することが可能である。
【００２８】
しかも、根かせ１、１を柱状立設体１５の両側に挟持して配置するので、柱状立設体１５の沈下が仮に生じても均等に沈下するので、柱状立設体１５の片側にのみ根かせ１がある場合のように、根かせ１がある側と根かせ１がない側とで不等沈下が生じてしまい、柱状立設体１５が根かせ１のない側に傾き、最悪では転倒する事態を回避することが可能である。
【００２９】
尚、この変形例に係る根かせ１についても、図８に示すように、面２ｂに対し基部２の受け部３とは反対側となる部位から突起部２０が形成されたものとしても良い。このような構成によれば、突起部２０は対の位置で２つの根かせ１、１と柱状立設体１５との組み付けたものに対し外側に向けて突出しているので、建柱された柱状立設体１５がその中心点を回転軸として何等かの作用により回転しようとしても、２つの突起部２０が土中にて抵抗の役割を果たすので、柱状立設体１５の回転を抑制することができる。
【図面の簡単な説明】
【００３０】
【図１】図１は、この発明に係る根かせの構成の一例を示したもので、図１（ａ）はこの根かせの正面図であり、図１（ｂ）はこの根かせの平面図であり、図１（ｃ）はこの根かせの支持部側から見た側面図である。
【図２】図２は、同上の根かせを電柱に締結するための締結具の一例として当て部がＵ字状のものを示したもので、図２（ａ）はこの締結具の平面であり、図２（ｂ）はこの締結具の側面図である。
【図３】図３は、図２に示す締結具を介して電柱に図１に示す根かせを締結した状態を示した断面図である。
【図４】図４は、図３に示す実施形態に対し根かせに回転防止用の突起部を設けた変形例の断面図である。
【図５】図５は、図１に示す根かせの構成の変形例を示したもので、図５（ａ）はこの根かせの正面図であり、図５（ｂ）はこの根かせの平面図であり、図５（ｃ）はこの根かせの支持部側から見た側面図である。
【図６】図６は、同上の根かせを電柱に締結するための締結具の一例として当て部が直線状のものを示したもので、図６（ａ）はこの締結具の平面であり、図６（ｂ）はこの締結具の側面図である。
【図７】図７は、図６に示す締結具を介して電柱に図５に示す根かせを締結した状態を示した断面図である。
【図８】図８は、図７に示す実施形態に対し根かせに回転防止用の突起部を設けた変形例の断面図である。
【符号の説明】
【００３１】
１  根かせ
２  基部
２ａ  面（受け部が形成された側の面）
２ｂ  面（受け部が形成された面に対し反対側の面）
３  受け部
４  通孔
４’  通孔
５  支持部
６  鉄板
１０  締結具
１１  挿通部
１２  当て部
１２’  当て部
１３  角座金（固定具）
１４  六角ナット（固定具）
１５  柱状立設体
２０  突起部
【図１】
2006125021.tif 000003
【図２】
2006125021.tif 000004
【図３】
2006125021.tif 000005
【図４】
2006125021.tif 000006
【図５】
2006125021.tif 000007
【図６】
2006125021.tif 000008
【図７】
2006125021.tif 000009
【図８】
2006125021.tif 000010